(57)【要約】  情報処理装置（１０）は、稼働情報取得部（１１０）、電力情報取得部（１２０）、及び第１表示処理部（１４０）を含んでいる。稼働情報取得部（１１０）は設備（２０）から稼働情報を受信する。電力情報取得部（１２０）は、電力管理装置（３０）から電力情報を受信する。そして第１表示処理部（１４０）は、稼働情報及び電力情報に基づいて、稼働履歴及び消費電力を同一の時間軸を用いて同一の画面に表示する。例えば第１表示処理部（１４０）は、消費電力の履歴及び稼働履歴の一方（例えば消費電力の履歴）を示すグラフに、消費電力の履歴及び稼働履歴の他方（例えば稼働履歴）を重ねて表示する。
2016052588.tif 000002
【特許請求の範囲】
【請求項１】
設備の稼働履歴を示す稼働情報を取得する稼働情報取得手段と、
前記設備の消費電力の履歴を示す電力情報を取得する電力情報取得手段と、
前記稼働情報及び前記電力情報に基づいて、前記稼働履歴及び前記消費電力を同一の時間軸を用いて同一の画面に表示する第１表示処理手段と、
を備える情報処理装置。
【請求項２】
請求項１に記載の情報処理装置において、
前記第１表示処理手段は、前記消費電力の履歴及び前記稼働履歴の一方を示すグラフに、前記消費電力の履歴及び前記稼働履歴の他方を重ねて表示する情報処理装置。
【請求項３】
請求項１又は２に記載の情報処理装置において、
前記稼働情報は、前記設備が稼働していた時間帯及び前記設備が停止していた時間帯を示す情報を含んでおり、
前記第１表示処理手段は、前記画面において、前記設備が稼働していた時間帯及び前記設備が停止していた時間帯を互いに区別可能に表示する情報処理装置。
【請求項４】
請求項３に記載の情報処理装置において、
前記稼働情報における前記設備が連続して停止していた時間の長さに基づいて、前記設備が異常停止した時間帯を検出する異常停止検出手段を備え、
前記第１表示処理手段は、前記設備が異常停止した時間帯を、前記設備が稼働していた時間帯及び前記設備が停止していた時間帯から識別可能に表示する情報処理装置。
【請求項５】
請求項３に記載の情報処理装置において、
前記稼働情報は、前記設備が異常停止した時間帯を示す情報を含んでおり、
前記第１表示処理手段は、前記設備が異常停止した時間帯を、前記設備が稼働していた時間帯及び前記設備が停止していた時間帯から識別可能に表示する情報処理装置。
【請求項６】
請求項４又は５に記載の情報処理装置において、
前記第１表示処理手段は、前記設備が異常停止した時間帯に記号を付与して表示する情報処理装置。
【請求項７】
請求項１〜６のいずれか一項に記載の情報処理装置において、
前記稼働情報は、製造された物を互いに識別する識別情報を、当該物が製造されていた時刻を示す情報に対応付けて含んでおり、
前記物は、複数の前記設備を経由して製造されており、
前記稼働情報取得手段は、前記複数の設備それぞれの前記稼働情報を取得し、
前記電力情報取得手段は、前記複数の設備それぞれの前記電力情報を取得し、
さらに、第２表示処理手段を備え、
前記第２表示処理手段は、
前記複数の設備のそれぞれに対して、前記稼働情報から第１の前記識別情報に対応する時刻を抽出する処理と、前記電力情報から前記抽出した時刻における消費電力を抽出する処理を行い、
前記複数の設備別に抽出した前記消費電力を表示する情報処理装置。
【請求項８】
コンピュータが、
設備の稼働履歴を示す稼働情報、及び前記設備の消費電力の履歴を示す電力情報を取得し、
前記稼働情報及び前記電力情報に基づいて、前記稼働履歴及び前記消費電力を同一の時間軸を用いて同一の画面で表示する情報処理方法。
【請求項９】
コンピュータを、情報処理装置として機能させるためのプログラムであって、
前記コンピュータに、
設備の稼働履歴を示す稼働情報を取得する機能と、
前記設備の消費電力の履歴を示す電力情報を取得する機能と、
前記稼働情報及び前記電力情報に基づいて、前記稼働履歴及び前記消費電力を同一の時間軸を用いて同一の画面で表示する機能と、
を持たせるプログラム。
【発明の詳細な説明】
【技術分野】
【０００１】
本発明は、設備の消費電力を把握する際に用いられる情報処理装置、情報処理方法、及びプログラムに関する。
【背景技術】
【０００２】
近年は環境への負荷を削減するために、電力消費量を削減する努力が続けられている。電力消費量を削減するためには、電力消費量の時間推移を表示することが好ましい。例えば特許文献１には、工作機械の消費電力量を時刻と対応付けて記録し、この記録に基づいて工作機械の稼働状況を管理することが記載されている。
【先行技術文献】
【特許文献】
【０００３】
【特許文献１】特開２００２−３０４２０７号公報
【発明の概要】
【発明が解決しようとする課題】
【０００４】
あるタイミングにおける設備の電力消費量を削減できるか否かを判断するためには、そのタイミングでその設備がどのような処理を行っているかを把握する必要がある。【０００５】
本発明の目的は、設備における消費電力と、その設備の稼働状況の対応を把握しやすくすることにある。
【課題を解決するための手段】
【０００６】
本発明によれば、設備の稼働履歴を示す稼働情報を取得する稼働情報取得手段と、
前記設備の消費電力の履歴を示す電力情報を取得する電力情報取得手段と、
前記稼働情報及び前記電力情報に基づいて、前記稼働履歴及び前記消費電力を同一の時間軸を用いて同一の画面に表示する第１表示処理手段と、
を備える情報処理装置が提供される。【０００７】
本発明によれば、コンピュータが、
設備の稼働履歴を示す稼働情報、及び前記設備の消費電力の履歴を示す電力情報を取得し、
前記稼働情報及び前記電力情報に基づいて、前記稼働履歴及び前記消費電力を同一の時間軸を用いて同一の画面で表示する情報処理方法が提供される。【０００８】
本発明によれば、コンピュータを、情報処理装置として機能させるためのプログラムであって、
前記コンピュータに、
設備の稼働履歴を示す稼働情報を取得する機能と、
前記設備の消費電力の履歴を示す電力情報を取得する機能と、
前記稼働情報及び前記電力情報に基づいて、前記稼働履歴及び前記消費電力を同一の時間軸を用いて同一の画面で表示する機能と、
を持たせるプログラムが提供される。
【発明の効果】
【０００９】
本発明によれば、設備における消費電力と、その設備の稼働状況の対応が把握しやすくなる。
【図面の簡単な説明】
【００１０】
上述した目的、およびその他の目的、特徴および利点は、以下に述べる好適な実施の形態、およびそれに付随する以下の図面によってさらに明らかになる。【００１１】
【図１】第１の実施形態に係る情報処理装置の使用環境の一例を説明するための図である。
【図２】情報処理装置の機能構成を示す図である。
【図３】第１表示処理部が表示する画面の一例を示す図である。
【図４】第２の実施形態において第１表示処理部が表示する画面の一例を示す図である。
【図５】第３の実施形態に係る情報処理装置の使用環境を説明する図である。
【図６】情報処理装置の機能構成を示すブロック図である。
【図７】第２表示処理部による表示の第１例を示す図である。
【図８】第２表示処理部による表示の第２例を示す図である。
【図９】第２表示処理部による表示の第３例を示す図である。
【発明を実施するための形態】
【００１２】
以下、本発明の実施の形態について、図面を用いて説明する。尚、すべての図面において、同様な構成要素には同様の符号を付し、適宜説明を省略する。
【００１３】
なお、以下に示す説明において、情報処理装置１０の各構成要素は、ハードウエア単位の構成ではなく、機能単位のブロックを示している。情報処理装置１０の各構成要素は、任意のコンピュータのＣＰＵ、メモリ、メモリにロードされたプログラム、そのプログラムを格納するハードディスクなどの記憶メディア、ネットワーク接続用インタフェースを中心にハードウエアとソフトウエアの任意の組合せによって実現される。そして、その実現方法、装置には様々な変形例がある。
【００１４】
（第１の実施形態）
図１は、第１の実施形態に係る情報処理装置１０の使用環境の一例を説明するための図である。本実施形態に係る情報処理装置１０は、設備２０で消費される電力量の時間推移を把握する際に用いられる。情報処理装置１０は、設備２０及び電力管理装置３０と通信することができる。この通信は、専用線を介して行われてもよいし、インターネットなどの公衆通信網を介して行われてもよい。
【００１５】
設備２０は、例えば物を製造する設備（製造設備）である。設備２０は、例えば射出成型機であるが、他の設備、例えば他の産業用機械であってもよい。設備２０は、複数の機械によって構成されていてもよいし、一つの機械によって構成されていてもよい。設備２０は、その設備２０の稼働履歴を示す情報（以下、稼働情報と記載）を記憶している。稼働情報は、その設備２０が稼働し始めた時刻、及び稼働し終わった時刻の少なくとも一方を含んでいる。このため、稼働情報を用いると、設備２０が稼働していた時間帯及び設備２０が停止していた時間帯を認識することができる。また、設備２０が複数の動作モード（例えば製造中、待機中など）を含んでいる場合、稼働情報は、時刻別に動作モードを示す情報も含んでいる。
【００１６】
電力管理装置３０は、設備２０で消費された電力を記録している装置である。電力管理装置３０が記録している情報は、消費電力の履歴を示す情報（以下、電力情報と記載）を含んでいる。設備２０及び電力管理装置３０は、例えば互いに同一の工場の中に配置されている。ただし電力管理装置３０は、設備２０とは異なる施設に設けられていてもよい。
【００１７】
そして情報処理装置１０は、設備２０から稼働情報を取得するとともに、電力管理装置３０から電力情報を取得する。
【００１８】
なお、設備２０の稼働情報を管理する管理装置がある場合、情報処理装置１０は、この管理装置から設備２０の稼働情報を取得してもよい。
【００１９】
図２は、情報処理装置１０の機能構成を示す図である。情報処理装置１０は、稼働情報取得部１１０、電力情報取得部１２０、及び第１表示処理部１４０を含んでいる。稼働情報取得部１１０は設備２０から稼働情報を受信する。電力情報取得部１２０は、電力管理装置３０から電力情報を受信する。そして第１表示処理部１４０は、稼働情報及び電力情報に基づいて、稼働履歴及び消費電力を同一の時間軸を用いて同一の画面に表示する。例えば第１表示処理部１４０は、消費電力の履歴及び稼働履歴の一方（例えば消費電力の履歴）を示すグラフに、消費電力の履歴及び稼働履歴の他方（例えば稼働履歴）を重ねて表示する。上記したように、稼働情報に基づくと、設備２０が稼働していた時間帯及び設備２０が停止していた時間帯を認識することができる。このため、第１表示処理部１４０は、上記したグラフの中で、設備２０が稼働していた時間帯及び設備２０が停止していた時間帯を、互いに識別可能な状態で表示する。
【００２０】
なお、本図に示す例において、情報処理装置１０はデータ記憶部１３０を有している。データ記憶部１３０は、稼働情報取得部１１０が取得した稼働情報及び電力情報取得部１２０が取得した電力情報を記憶している。第１表示処理部１４０は、データ記憶部１３０が記憶している情報を用いて、上記したグラフを生成する。
【００２１】
図３は、第１表示処理部１４０が表示する画面の一例を示す図である。本図に示すグラフにおいて、横軸は時間軸になっており、縦軸は消費電力値になっている。消費電力値は、一定時間間隔（例えば１分間隔）の瞬間値（又は平均値）で表示されている。またこれらの値を結ぶ線は表示されていない。
【００２２】
またこのグラフには、設備２０が稼働していた時間帯及び設備２０が停止していた時間帯が、互いに識別可能に重ねて表示されている。本図に示す例において、設備２０が稼働していた時間帯を示す線、及び設備２０が停止していた時間帯を示す線が、横方向に延在している。そしてこれら線は、互いに異なる高さに記載されている。これら２つの線は、互いに異なる色で表示されていてもよい。
【００２３】
以上、本実施形態によれば、第１表示処理部１４０は、稼働履歴及び消費電力を同一の時間軸を用いて同一のグラフで表示する。このため、情報処理装置１０のユーザは、設備２０の稼働状況と、その稼働状況における消費電力の関係を容易に認識することができる。これにより、情報処理装置１０のユーザは、設備２０の消費電力を削減する方法を発案しやすくなる。
【００２４】
（第２の実施形態）
本実施形態に係る情報処理装置１０は、以下の点を除いて、第１の実施形態に係る情報処理装置１０と同様の構成である。
【００２５】
まず、第１表示処理部１４０は、稼働情報における設備２０が連続して停止していた時間の長さに基づいて、設備２０が異常停止した時間帯を検出する。この異常停止は、例えば、設備２０のオペレータによる操作に基づいて緊急停止した場合などである。このような場合において、異常停止の時間の長さは、生産計画に基づいた停止時間の長さと比較して短くなる。そこで、第１表示処理部１４０は、停止時間の長さが基準値未満の場合、その時間帯において設備２０は異常停止していたと判断することができる。
【００２６】
そして第１表示処理部１４０は、グラフにおいて、設備２０が異常停止した時間帯を、設備２０が稼働していた時間帯及び設備２０が停止していた時間帯から識別可能に表示する。本実施形態において、設備２０が停止していた時間帯には、設備２０が異常停止していた時間帯は含まれていない。
【００２７】
図４は、本実施形態において第１表示処理部１４０が表示する画面の一例を示す図である。本図に示すグラフには、設備２０が稼働していた時間帯を示す線、及び設備２０が停止していた時間帯を示す線とは別に、設備２０が異常停止していた時間帯を示す線が表示されている。
【００２８】
また、設備２０が異常停止していた時間帯は、設備２０が稼働していた時間帯、及び設備２０が停止していた時間帯と比較して短い。このため、第１表示処理部１４０は、設備２０が異常停止していた時間帯を認識しやすくするために、グラフ内において、設備２０が異常停止していた時間帯に記号Ｓを付している。
【００２９】
なお、設備２０が記憶している稼働情報に、設備２０が異常停止した時間帯が含まれている場合、第１表示処理部１４０は、稼働情報に基づいて、設備２０が異常停止した時間帯を把握してもよい。
【００３０】
本実施形態によっても、第１の実施形態と同様の効果が得られる。また、第１表示処理部１４０は異常停止した時間帯を、設備２０が稼働していた時間帯、及び設備２０が停止していた時間帯から識別可能に表示する。従って、設備２０のユーザは、異常停止によって消費電力がそのように変化したか、認識しやすい。
【００３１】
なお、本実施形態において、設備２０が製造設備の場合、稼働情報は、設備２０の動作モード及びその動作モードになった時刻、並びに物を製造する間隔によって構成されていてもよい。例えば設備２０の動作モードが全自動モード、半自動モード、及び停止モードである場合を考える。この場合、第１表示処理部１４０は、設備２０の動作モードが全自動モード又は半自動モードになっており、かつ物を製造する間隔が基準時間以下となっている時間帯を、設備２０が稼働していた時間帯と判断する。また、第１表示処理部１４０は、設備２０の動作モードが全自動モード又は半自動モードになっており、かつ物を製造する間隔が第１の基準時間超第２の基準時間以下となっていた場合、その時間帯を、異常停止した時間帯であると判断する。また第１表示処理部１４０は、設備２０の動作モードが全自動モード又は半自動モードになっており、かつ物を製造する間隔が第２の基準時間超となっていた場合、その時間帯を、設備２０が停止した時間帯であると判断する。さらに第１表示処理部１４０は、設備２０の動作モードが停止モードになっていた時間帯も、設備２０が停止した時間帯であると判断する。
【００３２】
また、稼働情報は、時刻別の、設備２０が動作中であることを示す信号（以下、動作信号と記載）の有無によって構成されていてもよい。この場合、設備２０が停止している時間帯において、稼働情報は動作信号を含んでいない。そして第１表示処理部１４０は、動作信号を連続して含んでいる時間帯を、設備２０が稼働していた時間帯と判断する。また第１表示処理部１４０は、動作信号を含んでいない時間帯の長さが第１の基準時間超第２の基準時間以下となっていた場合、その時間帯を、設備２０が異常停止した時間帯であると判断する。また第１表示処理部１４０は、動作信号を含んでいない時間帯の長さが第２の基準時間超となった場合、その時間帯を、設備２０が停止した時間帯である、と判断する。
【００３３】
なお、第１表示処理部１４０は、稼働情報を第１間隔（例えば３０秒間隔）でサンプリングすることにより、動作信号を連続して含んでいる時間帯（すなわち設備２０が動作している時間帯）を判断してもよい。そしてこのサンプリングにおいて動作信号が含まれていない時刻が出てきた場合、第１表示処理部１４０は、動作信号が含まれていないと判断された時刻から、第１間隔よりも短い第２間隔（例えば５秒）後の時刻において、稼働情報が動作信号を含んでいるか否かを判断する。そして第１表示処理部１４０は、設備２０が異常停止していた（第２間隔後に動作信号を確認できた場合）のか、単に停止していたのか（第２間隔後においても動作信号が確認できなかった場合）を判断する。なお、第１間隔及び第２間隔は、情報処理装置１０のユーザによって設定される。
【００３４】
（第３の実施形態）
図５は、第３の実施形態に係る情報処理装置１０の使用環境を説明する図である。本実施形態において、製造される物は、複数の設備２０を経由して製造されている。
【００３５】
複数の設備２０を経由して製造された物には識別情報（以下、製造物識別情報と記載）が付与されている。製造物識別情報は、例えばロットナンバーである。この場合、同一の製造物識別情報が複数の物に付与されていてもよいし、一つの製造物識別情報が一つのものにのみ付与されていてもよい。そして稼働情報には、製造物識別情報が、その製造物識別情報が示す物が製造されていた時刻を示す情報に対応付けて含まれている。
【００３６】
また電力管理装置３０は、複数の設備２０それぞれの電力情報を保持している。
【００３７】
図６は、本実施形態に係る情報処理装置１０の機能構成を示すブロック図である。本実施形態において、稼働情報取得部１１０は、これら複数の設備２０のそれぞれから、その設備２０の稼働情報を、その設備２０を識別する識別情報（以下、設備識別情報と記載）に対応付けて取得する。また、電力情報取得部１２０は、これら複数の設備２０それぞれの電力情報を設備識別情報に対応付けて取得する。
【００３８】
さらに、情報処理装置１０は第２表示処理部１４２を有している。第２表示処理部１４２は、複数の製造物識別情報のそれぞれに対して、以下の処理を行う。まず、複数の設備２０のそれぞれに対して、稼働情報から、その製造物識別情報に対応する時刻を抽出する。また、複数の設備２０のそれぞれに対して、電力情報から、抽出した時刻における消費電力を抽出する。そして第２表示処理部１４２は、複数の設備２０別に、抽出した消費電力を同一の画面に表示する。
【００３９】
なお、情報処理装置１０の他の構成は、第１又は第２の実施形態と同様である。
【００４０】
図７は、第２表示処理部１４２による表示の第１例を示す図である。本図に示す例において、第２表示処理部１４２は、ある製造物識別情報に対応した物を製造している間の情報を表示している。そして第２表示処理部１４２は、第２の実施形態における第１表示処理部１４０と同様に、第１表示処理部１４０は異常停止した時間帯、設備２０が稼働していた時間帯、及び設備２０が停止していた時間帯を、互いに識別可能に表示している。そして第１の設備２０においては、異常停止した時間帯は存在していないが、第２の設備２０においては、異常停止した時間帯が存在している。このような場合、情報処理装置１０のユーザは、第２の設備２０に問題が生じていた可能性が高い、と判断できる。
【００４１】
図８は、第２表示処理部１４２による表示の第２例を示す図である。本図に示す表示は、図７に示した第１例と同様である。ただし、本図に示す例において、いずれの設備２０も、異常停止した時間帯を有している。このような場合、情報処理装置１０のユーザは、設備２０に問題があるのではなく、その製造物識別情報に対応した物の原料等に問題があった可能性が高い、と判断できる。
【００４２】
図９は、第２表示処理部１４２による表示の第３例を示す図である。本図に示す例において、製造物識別情報は、ロット番号を示しているため、一つの製造物識別情報には複数の製造された物が対応している。そして第２表示処理部１４２は、ロット番号別に、そのロット番号の処理を開始した時刻を原点として、消費電力及び設備２０の稼働状況を示す情報を表示する。
【００４３】
本図において、いずれの設備２０も異常停止した時間帯を有している。そしてその時間帯は、そのロットの処理を開始してから同一の時間が経由した後になっている。このような場合、情報処理装置１０のユーザは、設備２０に問題があるのではなく、製造中の物のうち特定の物（個別の物）に問題があった可能性が高い、と判断できる。
【００４４】
以上、本実施形態によっても、第１又は第２の実施形態と同様の効果枯れられる。また、情報処理装置１０のユーザは、第２表示処理部１４２による表示を確認することにより、物を製造している間に異常停止が生じた場合において、その異常停止の原因を推定することができる。
【００４５】
以上、図面を参照して本発明の実施形態について述べたが、これらは本発明の例示であり、上記以外の様々な構成を採用することもできる。
【００４６】
この出願は、２０１４年９月３０日に出願された日本出願特願２０１４−１９９９８７号を基礎とする優先権を主張し、その開示の全てをここに取り込む。
【図１】
2016052588.tif 000003
【図２】
2016052588.tif 000004
【図３】
2016052588.tif 000005
【図４】
2016052588.tif 000006
【図５】
2016052588.tif 000007
【図６】
2016052588.tif 000008
【図７】
2016052588.tif 000009
【図８】
2016052588.tif 000010
【図９】
2016052588.tif 000011
【国際調査報告】
2016052588.tif 000012
2016052588.tif 000013